(57)【要約】【課題】装置の小型化及び低コスト化を図りつつ、互いに電源電圧の異なる複数の電源に用いる場合でも装置の温度の上昇を抑えることのできる点灯装置及びそれを用いた照明器具を提供する。【解決手段】スイッチング素子Ｑ１を有しスイッチング素子Ｑ１のオン／オフを切り替えることで入力電源ＡＣ１からの電圧を入力電圧Ｖ１に変換して出力する第１のコンバータ部２と、第１のコンバータ部２の出力電圧を高圧放電灯１００の点灯に必要な電圧に変換して高圧放電灯１００に供給する第２のコンバータ部３と、第１のコンバータ部２及び第２のコンバータ部３を制御する制御部４とを備え、制御部４は、高圧放電灯１００の点灯時における第１のコンバータ部２のスイッチング素子Ｑ１を流れる電流のピーク電流Ｉ１を検出し、ピーク電流Ｉ１に基づいて第１のコンバータ部２の入力電圧Ｖ１を切り替える切替制御を行う。【選択図】図１
2012113882.tif 000002
【特許請求の範囲】
【請求項１】
少なくともスイッチング素子を有し前記スイッチング素子のオン／オフを切り替えることで入力電源からの電圧を所定の直流電圧に変換して出力する第１のコンバータ部と、前記第１のコンバータ部の出力電圧を光源の点灯に必要な電圧に変換して前記光源に供給する第２のコンバータ部と、前記第１のコンバータ部及び前記第２のコンバータ部を制御する制御部とを備え、前記制御部は、前記光源の点灯時における前記第１のコンバータ部の前記スイッチング素子を流れる電流の電気的特性を検出する検出手段を有し、前記検出手段で検出された前記電気的特性に基づいて前記第１のコンバータ部の出力電圧を切り替える切替制御を行うことを特徴とする点灯装置。
【請求項２】
前記電気的特性は、前記第１のコンバータ部の前記スイッチング素子を流れる電流のピーク値であることを特徴とする請求項１記載の点灯装置。
【請求項３】
前記電気的特性は、前記第１のコンバータ部の前記スイッチング素子を流れる電流の平均値であることを特徴とする請求項１記載の点灯装置。
【請求項４】
前記電気的特性は、前記第１のコンバータ部の前記スイッチング素子を流れる電流の実効値であることを特徴とする請求項１記載の点灯装置。
【請求項５】
前記電気的特性は、前記第１のコンバータ部の前記スイッチング素子を流れる電流を電圧に変換して検出されることを特徴とする請求項２乃至４の何れか１項に記載の点灯装置。
【請求項６】
前記制御部は、前記光源の始動後一定時間が経過した後に前記切替制御を行うことを特徴とする請求項１乃至５の何れか１項に記載の点灯装置。
【請求項７】
前記一定時間は、前記光源のランプ電圧が定格ランプ電圧まで上昇するのに要する時間であることを特徴とする請求項６記載の点灯装置。
【請求項８】
前記光源に印加されるランプ電圧を検出するランプ電圧検出部を備え、前記制御部は、前記ランプ電圧検出部で検出されたランプ電圧が所定の閾値を上回ると前記切替制御を行うことを特徴とする請求項１乃至５の何れか１項に記載の点灯装置。
【請求項９】
請求項１乃至８の何れか１項に記載の点灯装置と、前記点灯装置及び前記光源を保持する器具本体とを備えたことを特徴とする照明器具。
【発明の詳細な説明】
【技術分野】
【０００１】
本発明は、高圧放電灯等の光源を点灯させる点灯装置及びそれを用いた照明器具に関する。
【背景技術】
【０００２】
従来から、高輝度・高出力の照明として高圧放電灯が広く使用されているが、放電灯の一種である高圧放電灯を安定して点灯させるためには、安定器（点灯装置）が必要となる。高圧放電灯用の点灯装置としては、主に鉄心に銅線が巻かれて成る銅鉄型安定器と、半導体スイッチング素子を用いた電子安定器とがある。近年では、省エネルギーの観点から電子安定器が普及しており、年々小型化及び低コスト化が図られている。そして、点灯装置の小型化に伴って、点灯装置の放熱能力が低下して点灯装置が高温化してきている。
【０００３】
ここで、点灯装置を互いに電源電圧の異なる複数の電源（例えば、１００Ｖ電源と２００Ｖ電源）に兼用させて用いる場合がある。点灯装置には、電源電圧を昇圧する昇圧コンバータ回路が内蔵されており、この昇圧コンバータ回路は、通常、電源電圧が高い方の電源に合わせて設計される。このため、点灯装置を電源電圧が低い方の電源に用いる場合、昇圧コンバータ回路の昇圧比が電源電圧が高い方の電源に用いる場合と比較して大きくなり、回路損失が大きくなって更に点灯装置が高温化してしまうという問題があった。
【０００４】
上記の問題を解決するものとして、負荷時（放電灯の点灯時）において、１００Ｖの電源電圧の入力時の昇圧コンバータ回路の昇圧電圧を２００Ｖの電源電圧の入力時の昇圧電圧より低減させるように構成した放電灯点灯装置が特許文献１に開示されている。
【先行技術文献】
【特許文献】
【０００５】
【特許文献１】特許第３８５００５２号公報
【発明の概要】
【発明が解決しようとする課題】
【０００６】
しかしながら、上記特許文献１に記載の従来例では、電源電圧を入力電圧検出回路により検出し、その検出結果に基づいて昇圧コンバータ回路の昇圧電圧を切り替える構成となっている。このため、電源電圧を検出する入力電圧検出回路を設ける必要があることから部品点数が増大し、結果として装置の製造に要するコストの増大及び装置の大型化を招くという問題があり、年々要求される低コスト化及び小型化に対応するのが困難であった。
【０００７】
本発明は、上記の点に鑑みて為されたもので、装置の小型化及び低コスト化を図りつつ、互いに電源電圧の異なる複数の電源に用いる場合でも装置の温度の上昇を抑えることのできる点灯装置及びそれを用いた照明器具を提供することを目的とする。
【課題を解決するための手段】
【０００８】
本発明の点灯装置は、少なくともスイッチング素子を有し前記スイッチング素子のオン／オフを切り替えることで入力電源からの電圧を所定の直流電圧に変換して出力する第１のコンバータ部と、前記第１のコンバータ部の出力電圧を光源の点灯に必要な電圧に変換して前記光源に供給する第２のコンバータ部と、前記第１のコンバータ部及び前記第２のコンバータ部を制御する制御部とを備え、前記制御部は、前記光源の点灯時における前記第１のコンバータ部の前記スイッチング素子を流れる電流の電気的特性を検出する検出手段を有し、前記検出手段で検出された前記電気的特性に基づいて前記第１のコンバータ部の出力電圧を切り替える切替制御を行うことを特徴とする。
【０００９】
この点灯装置において、前記電気的特性は、前記第１のコンバータ部の前記スイッチング素子を流れる電流のピーク値であることが好ましい。
【００１０】
この点灯装置において、前記電気的特性は、前記第１のコンバータ部の前記スイッチング素子を流れる電流の平均値であることが好ましい。
【００１１】
この点灯装置において、前記電気的特性は、前記第１のコンバータ部の前記スイッチング素子を流れる電流の実効値であることが好ましい。
【００１２】
この点灯装置において、前記電気的特性は、前記第１のコンバータ部の前記スイッチング素子を流れる電流を電圧に変換して検出されることが好ましい。
【００１３】
この点灯装置において、前記制御部は、前記光源の始動後一定時間が経過した後に前記切替制御を行うことが好ましい。
【００１４】
この点灯装置において、前記一定時間は、前記光源のランプ電圧が定格ランプ電圧まで上昇するのに要する時間であることが好ましい。
【００１５】
この点灯装置において、前記光源に印加されるランプ電圧を検出するランプ電圧検出部を備え、前記制御部は、前記ランプ電圧検出部で検出されたランプ電圧が所定の閾値を上回ると前記切替制御を行うことが好ましい。
【００１６】
本発明の照明器具は、上記何れかの点灯装置と、前記点灯装置及び前記光源を保持する器具本体とを備えたことを特徴とする。
【発明の効果】
【００１７】
本発明は、装置の小型化及び低コスト化を図りつつ、互いに電源電圧の異なる複数の電源に用いる場合でも装置の温度の上昇を抑えることができるという効果を奏する。
【図面の簡単な説明】
【００１８】
【図１】本発明に係る点灯装置の実施形態１を示す回路図である。
【図２】（ａ）は同上の第１のコンバータ部のスイッチング素子を流れる電流のピーク値とランプ電圧との相関を示す図で、（ｂ）は同上の第１のコンバータ部のスイッチング素子を流れる電流のピーク値と入力電圧との相関を示す図である。
【図３】同上の電源電圧が１００Ｖの場合における動作を説明するための波形図である。
【図４】同上の電源電圧が２００Ｖの場合における動作を説明するための波形図である。
【図５】本発明に係る点灯装置の実施形態２を示す回路図である。
【図６】同上の電源電圧が１００Ｖの場合における動作を説明するための波形図である。
【図７】（ａ）〜（ｃ）は本発明に係る照明器具の実施形態を示す概略図である。
【発明を実施するための形態】
【００１９】
（実施形態１）
以下、本発明に係る点灯装置の実施形態１について図面を用いて説明する。本実施形態は、図１に示すように、整流部１と、第１のコンバータ部２と、第２のコンバータ部３と、制御部４とを備える。整流部１は、ダイオードブリッジから構成され、交流電源ＡＣ１（入力電源）から供給される交流電圧を全波整流して後段の第１のコンバータ部２に出力する。
【００２０】
第１のコンバータ部２は、例えばＦＥＴから成るスイッチング素子Ｑ１と、チョークコイルＣＨ１と、ダイオードＤ１と、平滑コンデンサＣ１とを有する所謂昇圧チョッパ回路である。第１のコンバータ部２は、整流部１から出力される脈流電圧を所望の直流電圧に昇圧して出力することで力率を改善する。なお、昇圧チョッパ回路については従来周知であるので、ここでは詳細な説明を省略する。
【００２１】
第２のコンバータ部３は、例えばＦＥＴから成る４つのスイッチング素子Ｑ２〜Ｑ５と、チョークコイルＣＨ２と、コンデンサＣ３とを有する所謂降圧チョッパ回路である。第２のコンバータ部３では、２つのスイッチング素子Ｑ２，Ｑ３の直列回路と、残り２つのスイッチング素子Ｑ４，Ｑ５の直列回路とが第１のコンバータ部２の出力端間に互いに並列に接続されている。また、スイッチング素子Ｑ２，Ｑ３の接続点とスイッチング素子Ｑ４，Ｑ５の接続点との間に、チョークコイルＣＨ２とコンデンサＣ３との直列回路が接続されている。更に、コンデンサＣ３と並列に、共振回路３０と高圧放電灯１００（光源）との直列回路が接続されている。共振回路３０は、高圧放電灯１００に直列に接続されるパルストランスＰＴ１と、パルストランスＰＴ１のタップと第１のコンバータ部２の低電位側の出力端の間に挿入されたコンデンサＣ２とを具備している。
【００２２】
制御部４は、第１のコンバータ部２の出力電圧、即ち、第２のコンバータ部３への入力電圧（平滑コンデンサＣ１の両端電圧）Ｖ１を検出する入力電圧検出部４０を備える。また、制御部４は、検出される入力電圧Ｖ１が所望の電圧レベルとなるように第１のコンバータ部２のスイッチング素子Ｑ１をスイッチング制御する第１の駆動制御部４１を備える。
【００２３】
また、制御部４は、第２のコンバータ部３の出力電圧、即ち、高圧放電灯１００に印加されるランプ電圧Ｖ２を検出するランプ電圧検出部４２と、検出されるランプ電圧Ｖ２に基づいて高圧放電灯１００の点灯・非点灯を判別する点灯判別部４４とを備える。更に、制御部４は、検出されるランプ電圧Ｖ２が所望の電圧レベルとなるように第２のコンバータ部３の各スイッチング素子Ｑ２〜Ｑ５をスイッチング制御する第２の駆動制御部４３を備える。
【００２４】
第２の駆動制御部４３は、点灯判別部４４での判別結果を受けて第２のコンバータ部３の動作モードを切り替える切替部４３Ｂと、検出されるランプ電圧Ｖ２に応じてスイッチング素子Ｑ４，Ｑ５の駆動周波数及びオン期間を決定する演算部４３Ａとを備える。切替部４３Ｂは、第２のコンバータ部３から高圧放電灯１００を始動させるための高電圧を出力させる始動モードと、第２のコンバータ部３から高圧放電灯１００を安定して点灯させるための電圧を出力させる安定点灯モードとを切り替える。また、演算部４３Ａは、安定点灯モードの時に切替部４３Ｂを介して各スイッチング素子Ｑ４，Ｑ５を制御する。
【００２５】
例えば、安定点灯モードにおいては、図３に示すように、制御部４の第２の駆動制御部４３は、スイッチング素子Ｑ２，Ｑ５をオン／オフさせる期間と、スイッチング素子Ｑ３，Ｑ４をオン／オフさせる期間とを所定の周波数（数百Ｈｚ程度）で交番させている。ここで、前者の期間ではスイッチング素子Ｑ３，Ｑ４はオフの状態であり、後者の期間ではスイッチング素子Ｑ２，Ｑ５がオフの状態である。そして、前者の期間では、第２の駆動制御部４３はスイッチング素子Ｑ２をオンさせた状態でスイッチング素子Ｑ５を所定の周波数（数十ｋＨｚ程度）でオン／オフさせる。また、後者の期間では、第２の駆動制御部４３はスイッチング素子Ｑ３をオンさせた状態でスイッチング素子Ｑ４を所定の周波数（数十ｋＨｚ程度）でオン／オフさせる。
【００２６】
また、制御部４は、電流判定部４５と、入力電圧切替部４６と、計時部４７とを備える。電流判定部４５は、例えばコンパレータやマイコンから構成され、第１のコンバータ部２においてスイッチング素子Ｑ１を流れる電流のピーク電流Ｉ１と予め設定された検出閾値とを比較する。第１のコンバータ部２には、図１に示すように、検出抵抗Ｒ１がスイッチング素子Ｑ１と直列に接続されている。したがって、本実施形態の電流判定部４５では、検出抵抗Ｒ１に印加される電圧を検出することで、スイッチング素子Ｑ１を流れる電流を電圧に変換して検出している。即ち、本実施形態では、検出抵抗Ｒ１及び電流判定部４５が、高圧放電灯１００の点灯時における第１のコンバータ部２のスイッチング素子Ｑ１を流れる電流の電気的特性を検出する検出手段を構成している。
【００２７】
例えば、第１のコンバータ部２において入力電流歪みを抑制するために、スイッチング素子Ｑ１を入力電流の正弦波に沿った電流ゼロクロスの三角波でピーク電流制御したものとする。この場合、出力電力が１００Ｗで交流電源ＡＣ１の電源電圧が１００Ｖであれば、ピーク電流Ｉ１は、（１００Ｗ／１００Ｖ）×√２×２≒２．８２Ａとなる。一方、出力電力が１００Ｗで交流電源ＡＣ１の電源電圧が２００Ｖであれば、ピーク電流Ｉ１は、（１００Ｗ／２００Ｖ）×√２×２≒１．４１Ａとなる。したがって、ピーク電流Ｉ１に基づいて入力電源である交流電源ＡＣ１の電源電圧を判別することができることになる。
【００２８】
ここで、第２のコンバータ部３は、高圧放電灯１００の定格ランプ電圧の範囲（８０〜１５０Ｖ）では、図２（ａ）に示すように定電力を印加するように制御している。高圧放電灯１００が１００Ｗ出力であれば、入力電力は回路効率分を加算した値となることから、ピーク電流Ｉ１は、高圧放電灯１００のランプ電圧Ｖ２の違いによりピーク値が若干変化するものの、定格ランプ電圧の範囲ではほぼ一定となる。したがって、図２（ａ）に示すように、交流電源ＡＣ１の電源電圧の違いによりピーク電流Ｉ１が異なることから、ピーク電流Ｉ１により交流電源ＡＣ１の電源電圧を判定することができる（図２（ａ）では、回路効率を９０％としてピーク電流Ｉ１を算出）。即ち、本実施形態では、電流判定部４５において検出閾値を設け、ピーク電流Ｉ１が検出閾値を上回る場合には交流電源ＡＣ１の電源電圧が１００Ｖと判定してハイレベルの電圧を入力電圧切替部４６に出力する。また、ピーク電流Ｉ１が検出閾値を上回らない場合は、電流判定部４５は、交流電源ＡＣ１の電源電圧が２００Ｖと判定してローレベルの電圧を入力電圧切替部４６に出力する。
【００２９】
ところで、本実施形態では、入力電源として１００Ｖ電源と２００Ｖ電源とを想定しているため、図２（ａ）に示すように２つの互いに異なるピーク電流値Ｉ１から入力電源の電源電圧を判別している。ここで、図２（ｂ）に示すように、入力電圧Ｖ１とピーク電流Ｉ１との間には線形相関がある。このため、例えばピーク電流Ｉ１が３．１４Ａであれば入力電源の電源電圧が１００Ｖ、ピーク電流Ｉ１が２．６９Ａであれば入力電源の電源電圧が１２０Ｖ、ピーク電流Ｉ１が１．５７１Ａであれば入力電源の電源電圧が２００Ｖと判別することが可能である。したがって、電流判定部４５を例えばマイコンで構成し、検出閾値を多数設定すれば、入力電源の電源電圧を更に細かく判別することも可能である。
【００３０】
入力電圧切替部４６は、電流判定部４５で判定された電源電圧に基づいて高圧放電灯１００の始動後における入力電圧Ｖ１を切り替えるように第１の駆動制御部４１に指示する。なお、入力電圧切替部４６は、点灯判別部４４での判別結果を受けて高圧放電灯１００が始動したか否かを判断する。ここで、高圧放電灯１００の始動後における入力電圧Ｖ１は、入力電流歪みを抑制できるように、電源電圧×√２×１．２Ｖ（１．２は余裕度）以上の電圧に設定する必要がある。例えば、入力電源として１００Ｖ電源を使用した場合であれば、入力電流歪みを抑制するために必要な電圧は１００×√２×１．２≒１７０Ｖ以上となる。また、入力電源として２００Ｖ電源を使用した場合であれば、入力電流歪みを抑制するために必要な電圧は２００×√２×１．２≒３４０Ｖ以上となる。
【００３１】
そこで、入力電圧切替部４６は、電流判定部４５の出力電圧がハイレベルの場合には、高圧放電灯１００の始動後における入力電圧Ｖ１が１７０Ｖとなるように指示する制御信号を第１の駆動制御部４１に送信する。第１の駆動制御部４１では、当該制御信号に基づいてスイッチング素子Ｑ１のオン／オフを切り替えることで、入力電圧Ｖ１が１７０Ｖとなるように制御する。また、電流判定部４５の出力電圧がローレベルの場合には、入力電圧切替部４６は、高圧放電灯１００の始動後における入力電圧Ｖ１が３４０Ｖとなるように指示する制御信号を第１の駆動制御部４１に送信する。第１の駆動制御部４１では、当該制御信号に基づいてスイッチング素子Ｑ１のオン／オフを切り替えることで、入力電圧Ｖ１が３４０Ｖとなるように制御する。即ち、第１の駆動制御部４１、電流判定部４５、入力電圧切替部４６によって、高圧放電灯１００の始動後における第１のコンバータ部２の出力電圧（入力電圧Ｖ１）を切り替える切替制御を行う。
【００３２】
計時部４７は、例えばマイコンで構成され、点灯判別部４４の出力電圧がハイレベルからローレベルに切り替わると、切り替わった時点から一定時間Ｔ１を計時する。そして、計時部４７は、一定時間Ｔ１の計時後に入力電圧切替部４６の動作の開始を指示する制御信号を入力電圧切替部４６に出力する。つまり、本実施形態では、図３に示すように、点灯判別部４４の出力電圧がハイレベルからローレベルに切り替わる、即ち、高圧放電灯１００が始動して直ぐに入力電圧切替部４６が動作するのではなく、始動後一定時間Ｔ１が経過した後に動作を開始する。なお、一定時間Ｔ１は、例えば高圧放電灯１００が始動してから定格ランプ電圧に達するまでの時間を考慮して、３０〜１８０秒程度に設定するのが望ましい。
【００３３】
以下、入力電源として１００Ｖ電源を使用した場合における本実施形態の動作について図３を用いて説明する。なお、図３は高圧放電灯１００が非点灯状態から安定した点灯状態に至るまでの各部の波形図を示している。先ず、高圧放電灯１００が非点灯状態のときに図示しない点灯スイッチが投入されて電源がオンになると、制御部４の第１の駆動制御部４１が制御動作を開始し、スイッチング素子Ｑ１を数１０ｋＨｚ程度でオン／オフさせるスイッチング制御を行う。これにより、第１のコンバータ部２からは、高圧放電灯１００の非点灯時及び点灯時の何れにおいても、電源電圧を昇圧した直流電圧（入力電圧Ｖ１）が出力される。ここで、第１のコンバータ部２は、入力力率を高めることで入力電流歪みを抑制している。
【００３４】
入力電圧Ｖ１が所定の電圧値に達すると、制御部４の第２の駆動制御部４３が動作を開始する。この時点では、まだ高圧放電灯１００は点灯しておらず、その等価インピーダンスは無限大に近い高インピーダンスとなっている。また、切替部４３Ｂは始動モードとなっている。第２の駆動制御部４３は、スイッチング素子Ｑ２，Ｑ５がオンの期間と、スイッチング素子Ｑ３，Ｑ４がオンの期間とを所定の周波数ｆ０（数百ｋＨｚ程度）で交番させる。ここで、所定の周波数ｆ０は共振回路３０の共振周波数に近い周波数であり、正弦波状の高電圧がパルストランスＰＴ１の１次巻線Ｎ１に発生する。１次巻線Ｎ１で発生した正弦波状の高電圧は、１次巻線Ｎ１と２次巻線Ｎ２の巻数比によって昇圧され、昇圧された電圧がコンデンサＣ３を介して高圧放電灯１００に印加される。これにより、高圧放電灯１００が絶縁破壊されて始動する。このとき、高圧放電灯１００は短絡に近い低インピーダンスとなるため、高圧放電灯１００の両端電圧は略０Ｖまで低下する。
【００３５】
一方、点灯判別部４４では、ランプ電圧検出部４２で検出されるランプ電圧Ｖ２が所定の閾値を超えるか否かに基づいて高圧放電灯１００の点灯・非点灯を判別している。即ち、ランプ電圧Ｖ２が所定の閾値を上回っている場合には、点灯判別部４４は高圧放電灯１００が非点灯状態にあると判別し、その出力電圧はハイレベルとなる。一方、ランプ電圧が所定の閾値を下回っている場合には、点灯判別部４４は高圧放電灯１００が点灯状態にあると判別し、その出力電圧はローレベルとなる。
【００３６】
ここで、高圧放電灯１００の始動により、上記のようにランプ電圧Ｖ２が略０Ｖまで低下することで所定の閾値を下回るので、点灯判別部４４は高圧放電灯１００が点灯したと判別し、その出力電圧がローレベルとなって切替部４３Ｂに入力される。このローレベルの電圧信号を受けて、切替部４３Ｂでは動作モードを始動モードから安定点灯モードに切り替える。また、点灯判別部４４の出力電圧は計時部４７にも入力され、計時部４７では、一定時間Ｔ１の計時を開始する。
【００３７】
安定点灯モードにおいては、既に上で述べたように、第２の駆動制御部４３は、スイッチング素子Ｑ２，Ｑ５をオン／オフさせる期間と、スイッチング素子Ｑ３，Ｑ４をオン／オフさせる期間とを所定の周波数ｆ１（数百Ｈｚ程度）で交番させる。したがって、高圧放電灯１００には周波数ｆ１の矩形波交流電圧が印加される。そして、高圧放電灯１００は、始動直後では両端電圧（ランプ電圧Ｖ２）が低いが、ランプ内部が高温・高圧になるにつれてランプ電圧Ｖ２が上昇して定格電圧に至り、安定した点灯状態となる。なお、演算部４３Ａでは、入力されるランプ電圧Ｖ２に基づいてスイッチング素子Ｑ４，Ｑ５の駆動周波数及びオン期間を適正に制御している。このため、高圧放電灯１００に適正な電力が供給され、安定した点灯状態が持続される。
【００３８】
そして、計時部４７での一定時間Ｔ１の計時が終了すると、計時部４７からの制御信号が入力電圧切替部４６に与えられることにより、切替制御が開始される。ここで、電流判定部４５では、入力電源が１００Ｖ電源であることからピーク電流Ｉ１が検出閾値を上回るので、入力電圧切替部４６にはハイレベルの電圧が入力される。したがって、入力電圧切替部４６は、電流判定部４５の出力電圧がハイレベルであるため、高圧放電灯１００の始動後における入力電圧Ｖ１が１７０Ｖとなるように指示する制御信号を第１の駆動制御部４１に送信する。第１の駆動制御部４１では、当該制御信号に基づいてスイッチング素子Ｑ１のオン／オフを切り替えるので、入力電圧Ｖ１は１７０Ｖに切り替えられる。したがって、入力電圧Ｖ１を低下させることで回路損失を低減することができ、結果として装置の温度の上昇を抑えることができる。
【００３９】
以下、入力電源として２００Ｖ電源を使用した場合における本実施形態の動作についても図４を用いて簡単に説明する。入力電源として１００Ｖ電源を使用した場合との違いは、２００Ｖの電源電圧を検出することで電流判定部４５の出力電圧がローレベルとなることである。このため、入力電圧切替部４６は、高圧放電灯１００の始動後における入力電圧Ｖ１が３４０Ｖとなるように指示する制御信号を第１の駆動制御部４１に送信する。第１の駆動制御部４１では、当該制御信号に基づいてスイッチング素子Ｑ１のオン／オフを切り替えるので、入力電圧Ｖ１は３４０Ｖのまま一定に保たれる。
【００４０】
上述のように、本実施形態では、検出抵抗Ｒ１及び電流判定部４５を用いることでスイッチング素子Ｑ１を流れる電流の電気的特性を検出して入力電源の電源電圧を判別している。このため、従来のように、入力電源の電源電圧を検出するために別途検出回路を設ける必要がない。特に、本実施形態のように、スイッチング素子Ｑ１を入力電流の正弦波に沿った電流ゼロクロスの三角波でピーク電流制御する場合には、検出抵抗Ｒ１を必要とするので、当該検出抵抗Ｒ１を検出手段として兼用することができる。したがって、別途検出回路を設ける必要がないことから部品点数の増大を抑えることができるので、装置の小型化及び低コスト化を図りつつ、互いに電源電圧の異なる複数の電源に用いる場合でも装置の温度の上昇を抑えることができる。
【００４１】
なお、本実施形態では、スイッチング素子Ｑ１を流れる電流の電気的特性としてピーク電流Ｉ１を検出しているが、他の電気的特性を検出して入力電源の電源電圧を判別するように構成してもよい。例えば、スイッチング素子Ｑ１を流れる電流の平均値や実効値、又はスイッチング素子Ｑ１のオン時間を検出することでも入力電源の電源電圧を判別することが可能である。
【００４２】
（実施形態２）
以下、本発明に係る点灯装置の実施形態２について図面を用いて説明する。但し、本実施形態の基本的な構成は実施形態１と共通であるので、共通する部位には同一の番号を付して説明を省略する。本実施形態は、図５に示すように、実施形態１から計時部４７を除き、ランプ電圧検出部４２の検出結果を入力電圧切替部４６に与えていることに特徴がある。
【００４３】
入力電圧切替部４６は、点灯判別部４４の出力電圧がハイレベルからローレベルに切り替わると、ランプ電圧検出部４２で検出されたランプ電圧Ｖ２と予め設定された判定閾値との比較を開始する。判定閾値は、例えば高圧放電灯１００の定格ランプ電圧の範囲の最低電圧に相当する約８０Ｖに設定される。そして、入力電圧切替部４６は、ランプ電圧Ｖ２が判定閾値を上回ると切替制御を開始する。つまり、本実施形態では、実施形態１のように高圧放電灯１００の始動後一定時間Ｔ１が経過してから切替制御を行うのではなく、図６に示すように、ランプ電圧Ｖ２が判定閾値に達してから切替制御を行う。
【００４４】
ここで、実施形態１において、例えばランプ電圧Ｖ２が４０Ｖ付近までしか上昇しないような異常のある高圧放電灯１００を用いた場合、一定時間Ｔ１の間にランプ電圧Ｖ２が定格ランプ電圧の範囲まで上昇しない。この場合、入力電源が１００Ｖ電源であったとしても一定時間Ｔ１の経過後にピーク電流Ｉ１が検出閾値を上回らず、入力電源が２００Ｖ電源であると誤って判別して切替制御が行われる虞がある。
【００４５】
そこで、本実施形態では、上述のようにランプ電圧Ｖ２が定格ランプ電圧の範囲の最低電圧程度まで上昇した後に制御部４において切替制御を行っている。このため、ランプ電圧Ｖ２が定格ランプ電圧の範囲まで上昇しないような異常のある高圧放電灯１００を用いた場合でも、入力電源が２００Ｖ電源であると誤って判別することがないので、実施形態１よりも確実に切替制御を行うことができる。
【００４６】
以下、本発明に係る照明器具の実施形態について図面を用いて説明する。図７（ａ）〜（ｃ）に示す照明器具は、何れも上記実施形態１〜３の何れかの点灯装置Ａ１と、ランプソケット（図示せず）が収納された器具本体２００と、点灯装置Ａ１とランプソケットとを接続する電源ケーブル２０１とを共通に備える。そして、ランプソケットに装着される高圧放電灯（図示せず）に点灯装置Ａ１から電源ケーブル２０１を介して点灯電力が供給される。
【００４７】
これらの照明器具は、上記実施形態１〜３の何れかの点灯装置Ａ１が用いられることにより、上記実施形態１〜３の何れかと同様の効果を奏することができる。なお、図７（ａ）に示す照明器具はダウンライトであり、同図（ｂ），（ｃ）に示す照明器具は、配線ダクトレール２０２に移動自在に取り付けられる照明器具である。
【符号の説明】
【００４８】
２  第１のコンバータ部
３  第２のコンバータ部
４  制御部
４５  電流判定部（検出手段）
１００  高圧放電灯（光源）
ＡＣ１  交流電源（入力電源）
Ｑ１  スイッチング素子
Ｒ１  検出抵抗（検出手段）
【図１】
2012113882.tif 000003
【図２】
2012113882.tif 000004
【図３】
2012113882.tif 000005
【図４】
2012113882.tif 000006
【図５】
2012113882.tif 000007
【図６】
2012113882.tif 000008
【図７】
2012113882.tif 000009